(57)【要約】【課題】回線状態やセンサの状態のチェックを専用の治具なしで容易に行なえる監視通報システムを提供する。【解決手段】通報先に通報データを送信する通報送信装置と通信手段を通じて接続されると共に、比較的大きな表示画面と操作入力手段を備える表示操作部を設ける。表示操作部は、操作入力手段を通じて入力されたチェック指示入力に応じて、チェック指示信号を通信手段を通じて通報送信装置に送る。通報送信装置は、チェック指示信号に応じた、予め記憶されているチェックシーケンスを実行し、チェックシーケンスの実行により得られるチェック結果を、表示操作手段に、通信手段を通じて送信する。表示操作手段は、通報送信装置から送られてくるチェック結果を表示素子の画面に表示する。【選択図】図１
2005084863.tif 000002
【特許請求の範囲】
【請求項１】
異常の発生を監視し、異常の発生時に、予め定められた所定の通報先に通信回線を通じて通報データを送信する監視通報システムであって、
前記通信回線に接続されると共に、前記異常の発生を検出するための１個または複数個のセンサの検出出力に応じて、前記通報先に通報データを送信する通報送信装置と、
前記通報送信装置と通信手段を通じて接続されると共に、表示画面を備える表示素子と、操作入力手段とを備える表示操作部と、
を備え、
前記表示操作部は、
前記操作入力手段を通じて入力されたチェック指示入力に応じて、チェック指示信号を前記通信手段を通じて前記通報送信装置に送る手段と、
前記通報送信装置から送られてくるチェック結果を前記通信手段を通じて受信して、前記表示素子の表示画面に表示する手段と、
を備え、
前記通報送信装置は、
前記表示操作部からの前記チェック指示信号を受信して、前記チェック指示信号に応じた、予め記憶されているチェックシーケンスを実行する手段と、
前記チェックシーケンスの実行により得られるチェック結果を前記表示操作手段に、前記通信手段を通じて送信する手段と、
を備えることを特徴とする監視通報システム。
【請求項２】
請求項１に記載の監視通報システムにおいて、
前記表示操作部は、当該監視通報システムにおける警備開始および警備解除の指示入力を行なうためのものである
ことを特徴とする監視通報システム。
【請求項３】
請求項２に記載の監視通報システムにおいて、
前記表示操作部に対して予め定められた特定の操作がなされたときに、前記チェック指示入力を入力するための操作入力画面が、前記表示素子の表示画面に表示される
ことを特徴とする監視通報システム。
【請求項４】
請求項１に記載の監視通報システムにおいて、
前記チェック指示信号は、前記通信回線の回線試験の指示信号であり、
前記通報送信装置は、前記チェック指示信号に応じて、前記通信回線を通じた前記通報先への通信のための回線試験シーケンスを実行し、試験結果を前記表示操作部に前記通信手段を通じて送信し、
前記表示操作部は、前記表示素子の画面に前記試験結果を表示する
ことを特徴とする監視通報システム。
【請求項５】
請求項１に記載の監視通報システムにおいて、
前記チェック指示信号は、前記センサの状態のチェック指示信号であり、
前記通報送信装置は、前記チェック指示信号に応じて、前記１個または複数個のセンサの状態情報を、一定の周期で複数回取得し、各回で取得した前記１個または複数個のセンサの状態情報を、各回ごとに前記表示操作部に前記通信手段を通じて送信し、
前記表示操作部では、前記表示素子の表示画面に、前記各回ごとの前記１個または複数個のセンサの状態情報を表示する
ことを特徴とする監視通報システム。
【請求項６】
請求項１に記載の監視通報システムにおいて、
前記通報送信装置に対して、通信手段を通じてセンサ入力装置が接続されると共に、前記センサ入力装置に対して１個または複数個のセンサが接続され、
前記センサ入力装置は、前記１個または複数個のセンサの出力を監視して、異常の発生を検出したときに、その旨を、前記異常発生検出の起因となるセンサの識別情報とともに、前記通報送信装置に送るとともに、前記通報送信装置からのセンサ状態取得要求信号を受けたときに、前記１個または複数個のセンサの状態情報を前記通報送信装置に送り、
前記通報送信装置は、前記チェック指示信号として、前記センサの状態のチェック指示信号を受けたときに、前記センサ入力装置に対して、一定の周期で複数回、前記センサ状態取得要求信号を送り、前記センサ入力装置から取得した各回の前記１個または複数個のセンサの状態情報を、各回ごとに前記表示操作部に前記通信手段を通じて送信し、
前記表示操作部では、前記表示素子の表示画面に、前記各回ごとの前記１個または複数個のセンサの状態情報を表示する
ことを特徴とする監視通報システム。
【請求項７】
請求項１に記載の監視通報システムにおいて、
前記通報送信装置、前記表示操作部およびその他の装置は、両端が終端されるバス型の通信路に接続されており、
前記チェック指示信号は、終端状態のチェック指示信号であり、
前記通報送信装置は、前記終端状態のチェック指示信号に応じて、前記バス型の通信路を通じて、前記表示操作部およびその他の装置に対して順次に終端抵抗の有無を問い合わせる信号を送り、前記表示操作部およびその他の装置から、前記問合せに対する回答情報を取得して、当該回答情報を前記表示操作部に送信し、
前記表示操作部は、前記回答情報に応じて、前記バス型の通信路に接続される各装置の終端状態を前記表示素子の表示画面に表示する
ことを特徴とする監視通報システム。
【請求項８】
請求項７に記載の監視通報システムにおいて、
前記問合せに対する回答情報には、前記表示送信装置およびその他の装置が有するソフトウエアのバージョン情報を含み、
前記表示操作部は、前記表示素子の表示画面に、前記バス型の通信路に接続される各装置の前記バージョン情報も表示する
ことを特徴とする監視通報システム。
【請求項９】
異常の発生を監視し、異常の発生時に、予め定められた所定の通報先に通信回線を通じて通報データを送信する監視通報システムであって、
前記通信回線に接続されると共に、前記異常の発生を検出するための１個または複数個のセンサの検出出力に応じて、前記通報先に通報データを送信する通報送信装置と、
前記通報送信装置と通信手段を通じて接続されると共に、表示素子と、操作入力手段とを備える表示操作部と、
を備え、
前記表示操作部は、当該監視通報システムにおける警備開始および警備解除の指示入力を行なうためのものであって、予め定められた第１の暗証番号が入力されたときに、少なくとも前記警備解除の指示入力を可能として、前記警備解除の指示入力に応じて警備解除信号を前記通報送信装置へ送ると共に、予め定められた第２の暗証番号が入力されたときには、異常事態信号を前記通報送信装置に送り、
前記通報送信装置は、前記警備解除信号を受信したときには、前記警備状態を解除し、前記異常事態信号を受信したときには、前記通報先に当該異常事態の発生を通報する
ことを特徴とする監視通報システム。
【請求項１０】
請求項９に記載の監視通報システムにおいて、
前記表示操作部は、タッチパネル式の操作部を備える
ことを特徴とする監視通報システム。
【発明の詳細な説明】
【技術分野】
【０００１】
この発明は、例えば不法侵入者の発生や火災発生などをセンサにより検知し、それらの異常事態の発生時に、通信回線を通じて、警備センタなどの所定の通報先に通報データを送るようにするための監視通報システムに関する。
【背景技術】
【０００２】
例えば人感センサにより不法侵入者を検知したり、また、火災センサにより火災発生を検知したりしたときに、警報を発生したり、警備センタ装置に通報したりする監視通報システムが良く知られている。例えば、特許文献１（特開平１０−０４９７８４号公報）には、カードリーダや、キーボックス、テンキー等を用いた専用の操作パネルを通じて、機械警備状態と機械警備解除状態とを設定するようにした監視通報システムが記載されている。
【０００３】
また、この種の監視通報システムとして、例えば、電話回線等の通信回線に接続される通報送信装置、前記操作パネルを備える操作装置、前記人感センサや火災センサなどの複数のセンサが接続されるセンサ入力装置、警報を発生する出力装置などが、例えば共通のバス（バスライン）に対していわゆるマルチドロップ型に接続されて構成されているものがある。
【０００４】
従来のこの種の監視通報システムを、ビルなどに設置した場合、設置工事業者は、通信回線の状態のチェック、センサの動作状態チェック、監視通報システムにおける終端状態のチェックなどを行なって、監視通報システムが、正しく動作することが可能な状態になっているかどうかを最終的にチェックするようにする。また、監視通報システムの設置後、監視通報システムに不具合が発生した場合にも、前記のチェックを行なうようにする。
【０００５】
通信回線の状態のチェックは、回線試験によりなされる。回線試験により、新たに設置した監視通報システム側と接続するための通信回線についての電話局側の設定が完了しているか、正しく通報データを警備センタに送ることができるか、などをチェックする。
【０００６】
センサの動作状態チェックは、各センサが正しく動作しているかどうかをチェックするためのものである。
【０００７】
また、終端状態のチェックは、前述したマルチドロップ型の接続の場合、伝送信号の反射を抑えるためにバスラインの両端で終端抵抗によって終端する必要があるが、当該終端抵抗が正しく接続されているかどうかのチェックである。すなわち、終端抵抗が接続されていないと、信号の反射が大きくなって、当該信号の反射に影響を受け、誤動作が生じる。また、誤って終端抵抗が、バスラインの両端以外にも接続されてしまった場合には、その誤った位置の終端抵抗が負荷となって、信号がその負荷の抵抗により減衰して、末端の端末まで信号が伝送されなくなってしまうという問題が生じる。
【０００８】
従来は、上記の各種試験のうち、回線の状態やセンサの状態のチェックは、設置工事業者が、通報送信装置に表示画面を備える専用の治具を接続し、そのチェック結果をその治具の表示画面に表示することにより行なうようにしていた。
【０００９】
また、終端抵抗が、バスラインの両端に対応する装置にのみ接続されているのではなく、誤って、他の装置にも終端抵抗が接続されてしまった場合には、その誤った位置の終端抵抗を見つけるため、従来は、バスラインに接続される各装置の筐体を開けて、終端抵抗が接続されていないかどうかを確かめるようにしていた。
【特許文献１】特開平１０−０４９７８４号公報。
【発明の開示】
【発明が解決しようとする課題】
【００１０】
上述したように、上記の回線試験およびセンサ試験は、業者が、専用の治具を用いて行なわなければならず非常に厄介であった。特に、監視通報システムの設置後に、不具合の発生などのクレームに対して、上記の回線状態やセンサの状態チェックを行なう場合には、通報送信装置が、通常は、あまり人目につかない狭い場所などに設置されているので、試験作業が非常に困難なものとなっていた。
【００１１】
また、上記終端状態のチェックに関しては、従来は、終端抵抗を誤って接続してしまった場合には、バスラインに接続される複数の装置の各々について、その筐体を開けて、終端抵抗が接続されていないかどうかを確かめるようにしなければならず、非常に厄介であった。
【００１２】
この発明は、以上の点にかんがみ、回線状態やセンサの状態のチェックを専用の治具なしで容易に行なえると共に、上記の終端状態のチェックも容易に行なえるようにした監視通報システムを提供することを目的とする。
【課題を解決するための手段】
【００１３】
上記の課題を解決するために、請求項１の発明による監視通報システムは、
異常の発生を監視し、異常の発生時に、予め定められた所定の通報先に通信回線を通じて通報データを送信する監視通報システムであって、
前記通信回線に接続されると共に、前記異常の発生を検出するための１個または複数個のセンサの検出出力に応じて、前記通報先に通報データを送信する通報送信装置と、
前記通報送信装置と通信手段を通じて接続されると共に、表示画面を備える表示素子と、操作入力手段とを備える表示操作部と、
を備え、
前記表示操作部は、
前記操作入力手段を通じて入力されたチェック指示入力に応じて、チェック指示信号を前記通信手段を通じて前記通報送信装置に送る手段と、
前記通報送信装置から送られてくるチェック結果を前記通信手段を通じて受信して、前記表示素子の画面に表示する手段と、
を備え、
前記通報送信装置は、
前記表示操作部からの前記チェック指示信号を受信して、前記チェック指示信号に応じた、予め記憶されているチェックシーケンスを実行する手段と、
前記チェックシーケンスの実行により得られるチェック結果を前記表示操作手段に、前記通信手段を通じて送信する手段と、
を備えることを特徴とする。
【００１４】
また、請求項２の発明は、請求項１に記載の監視通報システムにおいて、
前記表示操作部は、当該監視通報システムにおける警備開始および警備解除の指示入力を行なうためのものである
ことを特徴とする。
【００１５】
上述の請求項１の発明においては、通信回線の状態やセンサの状態、また、終端の状態のチェックをする場合には、例えば業者は、表示操作部に、それらのチェック指示入力をする。すると、表示操作部は、そのチェック指示入力に応じたチェック指示信号を通報送信装置に送る。
【００１６】
通報送信装置には、予め、通信回線の状態のチェック用シーケンス、センサの状態のチェック用シーケンス、監視通報システム内の通信路についての終端の状態のチェック用シーケンスを実行するためのプログラム等が記憶されている。そして、通報送信装置は、表示操作部から受け取ったチェック指示信号に応じたチェックシーケンスを実行し、そのチェック結果を表示操作部に送る。
【００１７】
表示操作部は、このチェック結果を受け取って、表示素子の表示画面に表示する。したがって、業者や使用者は、この表示操作部の表示画面から、チェック結果を知ることができる。
【００１８】
以上のように、請求項１の発明によれば、業者や使用者は、表示操作部に対してチェック指示入力を行なうだけで、通信回線の状態やセンサの状態、また、システム内の通信路の終端の状態を、表示操作部の表示画面を通じて知ることができ、チェック作業が非常に容易になる。この場合に、表示操作部は、業者や使用者が見やすい場所に設置することが可能である。
【００１９】
また、請求項２のように、表示操作部は、当該監視通報システムにおける警備開始および警備解除の指示入力を行なうためのものとすることができる。
【発明の効果】
【００２０】
この発明によれば、業者や使用者は、表示操作部に対してチェック指示入力を行なうだけで、通信回線の状態やセンサの状態、また、システム内の通信路の終端の状態を、表示操作部の表示画面を通じて知ることができ、チェック作業が非常に容易になる。
【００２１】
そして、この発明によれば、回線、センサの状態のチェックのために、従来のような専用の治具を必要としない。また、監視通報システム内の通信路の終端の状態のチェックも、簡単に行なえるという効果がある。
【発明を実施するための最良の形態】
【００２２】
以下、この発明による監視通報システムの実施形態を図を参照しながら説明する。以下に説明する実施形態においては、監視通報システムは、通信網として、アナログ公衆網あるいはＩＳＤＮ（Ｉｎｔｅｇｒａｔｅｄ  Ｓｅｒｖｉｃｅ  Ｄｉｇｉｔａｌ  Ｎｅｔｗｏｒｋ；総合デジタル通信網）網のいずれかを通じて、警備センタ側に非常通報を行なえるようにする場合である。
【００２３】
［監視システムの構成］
図１は、実施形態の監視通報システムを含む監視システムの接続構成例を示すものである。この実施形態の監視システムは、実施形態の監視通報システムとしての監視通報システム部１と、通報受信管制システム部２とが、通信網３を介して接続されて構成されている。この例の監視通報システム部１は、通信網３としては、アナログ公衆網またはＩＳＤＮ網のいずれもが可能とされている。
【００２４】
監視通報システム部１は、センサで異常を検出したときに通報データを通報受信管制システム部２宛てに送出する通報送信装置１１と、１個または複数個のセンサが接続されるセンサ入力装置１２，１３と、表示操作部を構成するアクセスコントローラ１４と、不法侵入した賊に対する威嚇音声や光を発生する出力装置１５と、その他の装置１６とからなる。
【００２５】
各装置１１〜１６は、この監視通報システム部１内における各装置１１〜１６間の通信路１７を構成するバスラインに対して、マルチドロップ型に接続されている。各装置１１〜１６間で用いられる通信インターフェース規格は、この例の場合、ＲＳ−４８５とされている。
【００２６】
通報送信装置１１は、この例においては、通信網３に接続されている通信回線に接続されると共に、図示を省略したルータを通じてIP（Internet  Protocol）網にも接続可能とされている。また、この例においては、通報送信装置１１には、１個または複数個のセンサが接続可能とされ、通報送信装置１１は、これらセンサの出力を監視して、異常が発生しているかどうかを判別し、異常が発生したと判別したときには、通報受信管制システム部２側に対する通報データを送る通報動作を起動する。
【００２７】
センサ入力装置１２，１３は、例えばビルの各テナントごとや、学校の各教室ごとなどに設置され、前記テナントや各教室に設置される１個または複数個のセンサが、このセンサ入力装置に接続されると共に、通信路１７を通じて通報接続装置１１に接続される。したがって、図１では、簡単のため、２台のセンサ入力装置１２と１３とを示したが、３台以上が接続される場合もある。
【００２８】
センサ入力装置１２，１３は、これに接続される１個または複数個のセンサの出力を監視して、異常が発生しているかどうかを判別し、異常が発生したと判別したときには、その異常発生の通知を、自装置の識別情報および異常を検知したセンサの識別情報と共に、通信路１７を通じて通報送信装置１１に送る。センサ入力装置の識別情報および異常発生を検知したセンサの識別情報は、通報受信管制システム部２側において、監視通報システム部１が設置されているビルや学校などのうちの、どこで異常が発生したかを判別するために用いられる。
【００２９】
通報送信装置１１は、当該センサ入力装置１２，１３からの異常発生通知を受け取ると、通報データを通報受信管制システム部２側に送る通報動作を起動する。
【００３０】
通報送信装置１１は、各センサ入力装置１２，１３に接続されているセンサの状態をチェックして動作確認をするために、定期的に、各センサ入力装置１２，１３に対してセンサ状態取得要求信号を送る機能を備える。
【００３１】
センサ入力装置１２，１３は、この通報送信装置１１からのセンサ状態取得信号を受け取ると、そのときの各センサの出力状態を、センサ状態信号として、通報送信装置１１に回答する。
【００３２】
通報送信装置１１は、センサ入力装置１２，１３からの回答で通報要因と判断したとき、その回答を通報受信管制システム部２側に送って、各センサ入力装置１２，１３ごとのセンサの動作状態を報告するようにする。
【００３３】
なお、この例の場合、上述の通報送信装置１１やセンサ入力装置１２，１３に接続される人感センサとしては、例えば赤外線感熱センサなどのパッシブセンサが用いられる。
【００３４】
アクセスコントローラ１４は、例えばＬＣＤ（Liquid  Crystal  Display；液晶ディスプレイ）からなる表示部と、操作入力部を備えるものである。操作入力部は、この例では、表示画面上の操作指示文字やマークと、この表示画面上に設けられたタッチパネルとで構成される。
【００３５】
この例では、アクセスコントローラ１４は、ユーザによる監視通報システム部１での機械警備開始指示入力および機械警備解除指示入力が行なえるように構成されていると共に、業者による、あるいは場合によっては、ユーザによる、回線チェック、センサの状態チェック、通信路１７における終端状態のチェックなどのチェック指示入力が行なえるように構成されている。
【００３６】
この例では、このアクセスコントローラ１４は、非接触式のＩＣ（Ｉｎｔｅｇｒａｔｅｄ  Ｃｉｒｃｕｉｔ；集積回路）カードと通信を行なうため、非接触カードリーダを備える。そして、ＩＣカードと通信を行なった結果、予め、機械警備開始指示および機械警備解除指示を行なうものとして登録された識別番号を前記ＩＣカードから取得したときには、アクセスコントローラ１４は、機械警備開始指示および機械警備解除指示を行なうための画面を表示する。
【００３７】
従来は、この機械警備開始指示および機械警備解除指示を行なうための画面としては、例えば「警備状態にしますか」または「警備状態を解除しますか」などのメッセージと、「はい」および「いいえ」のアイコン操作ボタン表示などを表示するだけの、比較的小さいＬＣＤ画面が用いられていた。
【００３８】
これに対して、この実施形態では、アクセスコントローラ１４の表示素子は、比較的大型の表示画面のＬＣＤが用いられている。そして、アクセスコントローラ１４は、この例においては、機械警備開始指示入力および機械警備解除指示入力を行なうための画面としては、上述のような「警備状態にしますか」または「警備状態を解除しますか」などのメッセージと、「はい」および「いいえ」のアイコン操作ボタン表示などを即座に表示する表示態様（以下、通常入力表示態様という）とは別に、よりセキュリティの高い表示態様（以下、セキュリティ入力表示態様という）とを備える。
【００３９】
セキュリティ入力表示態様においては、アクセスコントローラ１４に対してＩＣカードがかざされて通信がなされ、アクセスコントローラ１４で、機械警備開始指示入力および機械警備解除指示入力を行なうものとして登録された識別番号を前記ＩＣカードから取得したと判別したときには、アクセスコントローラ１４は、機械警備開始指示入力および機械警備解除指示入力を行なうための画面として、暗証番号の入力欄と、当該暗証番号を入力するためのテンキーボタン表示とを表示する。
【００４０】
そして、セキュリティ入力表示態様においては、この画面において、予め登録された暗証番号がタッチパネル式の操作入力部を通じて入力されたときに、アクセスコントローラ１４は、上述のような「警備状態にしますか」または「警備状態を解除しますか」などのメッセージと、「はい」および「いいえ」のアイコン操作ボタン表示などを表示して、機械警備開始指示入力や機械警備状態の解除指示入力を可能とする。
【００４１】
このセキュリティ入力表示態様においては、単に、登録された識別番号を記憶するＩＣカードをアクセスコントローラ１４と通信させるだけではなく、予め登録された暗証番号が入力されたときにのみ、アクセスコントロール１４が、機械警備開始指示入力および機械警備解除指示入力を行なうための画面を表示するので、より高いセキュリティを実現することができる。
【００４２】
そして、このセキュリティ入力表示態様を採用した場合には、以下に説明するような方法を用いることにより、不法侵入した賊に脅迫されて、ユーザが、機械警備解除指示入力を行なわなければならないような状況において、そのような状況が発生していることを通報受信管制システム部２側に通知して、適切な対処処置を要請するようにすることができる。
【００４３】
すなわち、この場合には、予め正常な状態において、機械警備開始指示入力および機械警備解除指示入力を行なうための画面を表示するようにさせるための正常時暗証番号の他に、上記のように、賊に脅迫された状況において機械警備開始指示入力および機械警備解除指示入力を行なわなければならない時のための緊急時暗証番号を、予め登録する。
【００４４】
そして、ＩＣカードと通信が行なわれて、暗証番号の入力欄と、当該暗証番号を入力するためのテンキーボタン表示とをアクセスコントローラ１４の表示画面に表示しているときに、前記緊急時暗証番号が入力されたことをアクセスコントローラ１４で検知したときには、アクセスコントローラ１４は、賊による脅迫による警備解除という緊急事態の発生の旨を通報送信装置１１に通知するようにする。
【００４５】
この緊急事態の発生の通報データを受けた通報受信管制システム部２は、警備員を派遣したり、警察に連絡したりするなど、適切な対処処置をとることができる。
【００４６】
なお、この緊急時暗証番号の入力を受けたときに、アクセスコントローラ１４は、脅迫を受けている入力ユーザの危険回避のために、前述した「警備状態にしますか」または「警備状態を解除しますか」などのメッセージと、「はい」および「いいえ」のアイコン操作ボタン表示などを表示して、機械警備開始指示入力や機械警備状態の解除指示入力を可能とする。
【００４７】
警備状態および警備解除状態は、通報送信装置１１が、有効とするセンサ入力装置１２，１３を選択することにより、各センサ入力装置１２，１３が設置される場所単位で切り替えることが可能である。
【００４８】
このため、アクセスコントローラ１４を、例えばビルの各テナント毎や学校の教室ごとに設けて、通報送信装置１１に対して複数個設け、警備状態および警備解除状態を、それら各テナントごとや教室ごとに設定することもできる。この場合に、上述したセキュリティ入力表示態様は、金庫が存在する場所など、よりセキュリティを高くしたい区域において、用いるようにすると良い。
【００４９】
次に、上述したように、この実施の形態のアクセスコントローラ１４は、上述のように、監視通報システム部１の設置工事業者や利用者が、回線チェック、センサの状態チェック、通信路１７における終端状態のチェックの指示を通報送信装置１１に対して行なえるように構成されている。
【００５０】
一方、この例においては、通報送信装置１１は、これに接続される通信網３を通じた通報データの送信についての回線試験をするための回線試験シーケンスを実行するプログラムと、センサの状態チェックを行なうためのシーケンスを実行するプログラムと、通信路１７における終端状態のチェックを行なうためのシーケンスを実行するプログラムとを記憶している。これらのシーケンスの詳細については後述する。
【００５１】
そして、通報送信装置１１は、前記アクセスコントローラ１４からのチェック指示信号に応じたチェックのシーケンスを実行した結果のチェック結果は、アクセスコントローラ１４に返送するようにする。
【００５２】
アクセスコントローラ１４は、この例では、前記の大型の表示画面を利用して、当該通報送信装置１１から送られてくるチェックの結果を表示画面に表示することができるように構成されている。
【００５３】
したがって、設置工事業者や、利用者は、このアクセスコントローラ１４を通じて、回線状態のチェックやセンサ状態のチェック、および終端状態のチェックを容易に行なうことができると共に、このアクセスコントローラ１４の表示画面を観ることにより、そのチェック結果を知ることができ、不具合箇所を見つけて、適切な処置を容易に施すことも可能である。
【００５４】
出力装置１５は、前述したように、侵入した賊を威嚇するために、威嚇音声をスピーカから放音したり、光を断続放射したりする。この出力装置１５は、予め設定された条件に応じて、通報送信装置１１からの指示により、前記威嚇音声の再生や光放射を行なう。
【００５５】
この実施形態では、各装置１１〜１６のそれぞれは、通信路１７における前述した終端抵抗を接続することが可能とされている。工事設置者は、通信路の両端となる２つの装置に対して終端抵抗を接続するようにする。
【００５６】
各装置１１〜１６は、マイクロコンピュータを搭載して構成されており、それぞれ終端抵抗が接続されたときには、そのことを認識し、前記マイクロコンピュータのＲＡＭに、終端抵抗が接続されているか否かの情報を格納して保持している。
【００５７】
一方、通報送信装置１１は、通信路１７に接続されている各装置に対して終端抵抗の接続の有無の問合せを行なう機能を備えている。この例では、このとき、各装置１２〜１６のコンピュータに搭載されているソフトウエアのバージョン情報も問い合わせるようにしている。
【００５８】
各装置１２〜１６は、通報送信装置１１から終端抵抗の接続の有無および前記バージョン情報の問合せがあったときには、前記ＲＡＭのそれぞれに記憶されている、終端抵抗が接続されているか否かの情報およびバージョン情報を読み出し、通報送信装置１１に、前記問合せの返事として返送する機能を備えている。
【００５９】
次に、通報受信管制システム部２側について、説明する。この例の通報受信管制システム部２は、監視通報システム部１からの通報の宛先として予め定められている通報情報の受信システムであり、この例においては、通報受信機２１および２２と、通報データサーバ装置２３と、管制端末装置２４とを備えて構成されており、各装置２１〜２４は、ＬＡＮ（Local  Area  Network）２０に接続されている。
【００６０】
通報受信機２１，２２、通報データサーバ装置２３および管制端末装置２４は、この例では、パーソナルコンピュータで構成されている。
【００６１】
この例においては、２台の通報受信機２１，２２が設けられているが、これは、一方が故障したときに他方が代替として動作するようにするためである。
【００６２】
監視通報システム部１の通報送信装置１１からの通報データは、通信網３を通じて通報受信機２１，２２の一方に受信される。通報受信機２１または２２は、受信した通報データをＬＡＮ２０を通じて通報データサーバ装置２３に転送する。通報データサーバ装置２３は、通報受信機２１または２２からの通報データを受信すると、当該通報データを管制端末装置２４に送る。
【００６３】
管制端末装置２４は、管制員が使用するもので、受け取った通報データをデコードして、例えばどのような異常の発生に基づく通報であるか、通報の発信元は何処であるかなどの表示データや音声データを生成し、表示装置に表示したり、スピーカにより音声として再生したりする。
【００６４】
なお、図１では、監視通報システム部１は、１台のみが示されているが、異なる場所に複数台の監視通報システム部１が設置され、通信網３を通じて通報受信管制システム部２に接続されるものである。また、通常受信管制システム部２の回線は、１本の通信回線ではなく、複数本の通信回線とすることにより、多数の監視通報システム部１からの通報の着信を受けることが可能である。
【００６５】
次に、図１の監視システムの主要な装置のより詳細な構成例について説明する。
【００６６】
［通報送信装置１１およびアクセスコントローラ１４の構成例］
図２は、監視通報システム部１の通報送信装置１１と、アクセスコントローラ１４との、より詳細なハードウエア構成例を示すブロック図である。
【００６７】
通報送信装置１１は、ＣＰＵ（Central  Processing  Unit）１１１と、ＲＯＭ（Read  Only  Memory）１１２と、ＲＡＭ（Random  Access  Memory）１１３とがバス接続されている制御部１１０に対して、Ｉ／Ｏポート１１４と、アナログ回線またはＩＳＤＮ回線と接続するためのネットワークコントロールユニット（ＮＣＵ）１１５と、通信路１７に接続されるＲＳ−４８５インターフェース１１６とが接続されて構成されている。
【００６８】
ＲＯＭ１１２は、不揮発性メモリであって、通報送信装置１１の前記各部を制御するためのプログラム、例えば非常通報時のシーケンスを制御するためのプログラム、通報データを生成するためのプログラム、回線試験のシーケンスを実行制御するためのプログラム、センサ状態のチェックシーケンスを実行制御するためのプログラム、通信路１７の終端の状態のチェックシーケンスを実行制御するためのプログラム、前述した賊による脅迫による警備解除という緊急事態の発生の旨の通知をアクセスコントローラ１４から受信した場合の通報のシーケンスのためのプログラム、などを記憶している。
【００６９】
Ｉ／Ｏポート１１４には、１個または複数個のセンサが接続されている。制御部１１０は、このＩ／Ｏポート１１４を通じて入力されるセンサからのセンサ信号を監視する。そして、通報送信装置１１は、Ｉ／Ｏポート１１４に接続されているセンサのいずれかで、異常が検出されたとき、通報動作を起動する。
【００７０】
また、前述したように、通信路１７に接続されているセンサ入力装置１２，１３からの異常発生通知を、ＲＳ−４８５インターフェース１１６を通じて受信しときにも、通報送信装置１１は、通報動作を起動する。
【００７１】
ＲＡＭ１１３もまた不揮発性メモリであり、これには、通報データを、通信網３を通じて、通報受信管制システム部２の通報受信機２１、２２へ着信させるための電話番号や、監視通報システム部１が設置されている場所や連絡先の情報や、異常発生を検知したセンサに応じた通報内容の情報を含む通報データが格納されている。また、センサ入力装置１２，１３に接続されるセンサのそれぞれと、通報内容との対応を示す情報も、このＲＡＭ１１３に記憶されている。
【００７２】
このＲＡＭ１１３への非常通報先の電話番号の書き込みや、Ｉ／Ｏポート１１４に接続されるセンサや、センサ入力装置１２，１３に接続されるセンサのそれぞれと、通報内容との対応を示す情報は、この監視通報システム部１の設置時に、使用者あるいは設置者により行なわれる。
【００７３】
次に、アクセスコントローラ１４は、ＣＰＵ１４１と、ＲＯＭ１４２と、ＲＡＭ１４３とがバス接続されてなる制御部１４０に対して、ＬＤＣコントローラ１４４を介して接続されるＬＣＤ１４５と、Ｉ／Ｏポート１４６を介して接続されるタッチパネル１４７と、通信路１７に接続されるＲＳ−４８５インターフェース１４８と、ＩＣカードと通信を行なうための非接触カードインターフェース１４９と、音声合成部１５０とが接続されて構成されている。音声合成部１５０からの出力音声信号は、アンプ１５１を通じてスピーカ１５２に供給されている。
【００７４】
非接触カードインターフェース１４９は、非接触カードリーダを構成するものであり、アクセスコントローラ１４に、ＩＣカードがかざされると、非接触で通信を行ない、ＩＣカードから、その内蔵メモリに格納されている識別情報等を取得して、制御部１４０に入力するようにする。ＩＣカードに、アクセスコントローラ１４とのやり取りの履歴を記録する場合には、アクセスコントローラ１４から所定の情報がＩＣカードに、このインターフェース１４９を通じて送られる。
【００７５】
ＲＯＭ１４２は、不揮発性メモリであって、前述した通常入力表示態様およびセキュリティ入力表示態様における機械警備開始指示入力や機械警備状態の解除指示入力のためのシーケンスを実行するためのプログラムの他、各種のチェック指示入力に応じた表示処理を実行するためのプログラム、終端抵抗の接続の有無およびバージョン情報の問合せに対する返答のための処理プログラムなどを記憶している。
【００７６】
制御部１４０は、表示画像データをＬＣＤコントローラ１４４を通じてＬＣＤ１４５に送り、所定の表示を行なうようにする。タッチパネル１４７は、ＬＣＤ１４５の表示画面上に貼り付けられて設けられており、このタッチパネル１４７を通じたユーザの操作入力は、Ｉ／Ｏポート１４６を通じて制御部１４０に入力される。制御部１４０は、ＬＣＤ１４５での表示と合わせて、ユーザがどのような入力操作を行なったかを認識する。そして、ＣＰＵ１４０は、その認識した入力操作に応じた処理プログラムを読み出して、そのプログラム処理を実行する。
【００７７】
音声合成部１５０は、ＬＣＤ１４５の表示画面に操作用の画面を表示したときに、そのガイド音声などを出力するためのものである。
【００７８】
［各種チェック処理についての説明］
この例においては、アクセスコントローラ１４は、設置工事業者用のＩＣカードがかざされたときに、そのＬＣＤ１４５の画面に、各種チェック項目の一覧メニューを表示し、各種チェック処理の指示入力を受け付けることができるようにされている。
【００７９】
すなわち、設置工事業者を識別する識別情報が書き込まれた非接触式のＩＣカードを設置工事業者は所持しており、各種チェックを行なおうとするときには、業者は、この設置工事業者用のＩＣカードを、アクセスコントローラ１４にかざす。すると、アクセスコントローラ１４は、ＩＣカードとの間で通信を行ない、前記設置工事業者を識別する識別情報を確認すると、ＬＣＤ１４５の画面に、例えば図３に示すような各種チェック項目の一覧メニューを表示する。
【００８０】
この一覧メニュー画面において、業者が、タッチパネル１４７を通じて、開始するチェック項目を選択入力することができるように、アクセスコントローラ１４は、構成されている。図３の例の場合には、業者が、一覧メニュー画面の例えばチェック項目番号を押下すると、アクセスコントローラ１４は、当該押下された番号のチェック項目の選択入力がなされたと認識し、そのチェック項目のチェック指示信号を通報送信装置１１に送る。
【００８１】
通報送信装置１１は、チェック指示信号を受けると、当該チェック指示信号により指定されるチェック項目のチェックシーケンスを開始し、そのチェック結果をアクセスコントローラ１４に送る。アクセスコントローラ１４は、そのチェック結果を受信して、ＬＣＤ１４５の表示画面に表示する。この例では、前述したように、ＬＣＤ１４５の表示画面は、比較的大きいので、チェック結果は詳細に表示可能とされている。
【００８２】
以下、各チェック項目のチェック処理動作について、シーケンス図およびＬＣＤ１４５の表示例を示す図を参照しながら説明する。
【００８３】
［回線試験］
この例においては、図３のチェック項目のメニュー画面にも示したように、主として通信網３がアナログ公衆網である場合に行なわれるモデムを用いた回線試験（図３では、回線試験（モデム）と記載）と、通信網３がＩＳＤＮ網である場合に行なわれる回線試験（図３では、回線試験（パケット）と記載）との２つの回線試験が用意されており、そのためのシーケンスを実行するためのそれぞれのプログラムが、通報送信装置１１のＲＯＭ１１２に記憶されている。
【００８４】
図３に示した、アクセスコントローラ１４のＬＣＤ１４５の画面に表示されたチェック項目のメニュー画面において、例えば「「１」回線試験（モデム）」を業者が選択入力すると、図７に示すシーケンスが実行される。
【００８５】
すなわち、図７に示すように、アクセスコントローラ１４は、業者の回線試験（モデム）の選択入力を受け付けると（ステップＳ１）、チェック指示信号として回線試験（モデム）の回線試験開始要求信号を通報送信装置１１に送る（ステップＳ２）。そして、アクセスコントローラ１４は、図４に示す回線試験（モデム）のチェック結果を表示する画面に移行する。ただし、初期画面においては、図４の「回線状況」、「接続状況」、「通信結果」は、例えば未受信などを表示して、未だチェック結果を通報送信装置１１から受け取っていないことを表示する。
【００８６】
前記回線試験（モデム）の回線試験開始要求信号を受け取った通報送信装置１１は、通報受信管制システム部２の通報受信機２１（または２２）に対して発信する（ステップＳ３）。電話局は、この発信を通報受信機２１（または２２）に送る（ステップＳ４）。
【００８７】
通報送信装置１１は、通報受信機２１（または２２）に対して発信処理を行なった後、発信ができたかどうかのチェック結果の経過状態通知情報をアクセスコントローラ１４に送る（ステップＳ５）。なお、図７のシーケンス例では、発信ができた場合のシーケンス例である。
【００８８】
アクセスコントローラ１４では、この発信ができたかどうかのチェック結果の経過状態通知情報を受け取ると、回線状況に関するチェック結果をＬＣＤ１４５の画面に表示する。例えば発信が正常に行なわれた場合には、図４に示すように、「回線状況」の欄に、例えば「正常に発信されました」を表示する（ステップＳ６）。発信ができなかったときには、その旨がこの「回線状況」の欄に表示される。これにより、通報送信装置１１と局との間は、正常に接続されているかどうかが判る。
【００８９】
通報送信装置１１からの前記発信に対して、通報受信管制システム部２の通報受信機２１（または２２）が応答すると、極性反転などにより応答が通報受信機２１（または２２）から局に通知される（ステップＳ７）。局は、この応答を検知して、通信路が接続されたことを通報送信装置１１に通知する（ステップＳ８）。
【００９０】
この通信路の接続の通知を受けた通報送信装置１１は、通信路の接続状況を示す経過状態通知情報をアクセスコントローラ１４に送る（ステップＳ９）。この経過状態通知情報は、通信路が正常に接続されるか否かのチェック結果の情報である。
【００９１】
アクセスコントローラ１４では、この通信路の接続状況を示す経過状態通知情報を受け取ると、通信路の接続状況をＬＣＤ１４５の画面に表示する。例えば通信路が正常に接続された場合には、図４に示すように、「接続状況」の欄に、例えば「正常に接続されました」を表示する（ステップＳ１０）。正常に接続されなかったときには、その旨が「接続状況」の欄に表示される。これにより、通報送信装置１１と通報受信装置２１（または２２）との間は正常に接続されるかどうかが判る。
【００９２】
一方、通報送信装置１１は、局からの通信路の接続通知を受け取ったときには、試験用の通信データを通報受信機２１（または２２）に送る。すると、通報受信機２１（または２２）は、この試験用の通信データを受信すると、応答の通信データを通報送信装置１１に送ってくる。これにより、接続された通信路を通じた相互データ通信がなされる（ステップＳ１１）。そして、通報送信装置１１は、このデータ通信が正常になされたか否かのチェック結果としての経過状態通知情報をアクセスコントローラ１４に送る（ステップＳ１２）。
【００９３】
アクセスコントローラ１４は、このデータ通信が正常になされたか否かのチェック結果としての経過状態通知情報を受け取ると、データ通信が正常になされたか否かの通信結果をＬＣＤ１４５の画面に表示する。例えばデータ通信が正常に行なわれた場合には、図４に示すように、「通信結果」の欄に、例えば「データ通信は、正常に行なわれました」を表示する（ステップＳ１３）。データ通信が正常に行なわれなかったときには、その旨が「通信結果」の欄に表示される。
【００９４】
その後、通報送信装置１１は、局に切断通知を送る（ステップＳ１４）。すると、局は通報受信機２１（または２２）、当該切断通知を送る（ステップＳ１５）と共に、切断応答を通報送信装置１１に送る（ステップＳ１６）。通報送信装置１１は、この局からの切断応答を確認すると、回線試験終了通知をアクセスコントローラ１４に送る（ステップＳ１７）。以上で、この回線試験（モデム）の処理シーケンスは、終了となる。
【００９５】
業者は、図４のアクセスコントローラ１４のＬＣＤ１４５の表示画面を観ることにより、監視通報システム部１の回線に対する接続が正しく行なわれているか、局の設定はＯＫであるか、などを容易に判別することができる。しかも、従来のような特別の治具を用いなくとも、アクセスコントローラ１４から回線試験の指示入力を行ない、そのチェック結果を表示画面を通じて観るだけで回線試験ができることになり、非常に簡単な操作で、回線試験を行なえる。
【００９６】
次に、図３に示した、アクセスコントローラ１４のＬＣＤ１４５の画面に表示されたチェック項目のメニュー画面において、例えば「「２」回線試験（パケット）」を業者が選択入力すると、図８に示すシーケンスが実行される。
【００９７】
すなわち、図８に示すように、アクセスコントローラ１４は、業者の回線試験（パケット）の選択入力を受け付けると（ステップＳ２１）、チェック指示信号として回線試験（パケット）の回線試験開始要求信号を通報送信装置１１に送る（ステップＳ２２）。そして、アクセスコントローラ１４は、回線試験（パケット）のチェック結果を表示する画面に移行する。
【００９８】
すなわち、前記回線試験（パケット）の回線試験開始要求信号を受け取った通報送信装置１１は、ＩＳＤＮ回線が正常に接続されているか否か判別する（ステップＳ２３）。
【００９９】
ＩＳＤＮ回線が正常に接続されていると判別したときには、通報送信装置１１は、試験用の通信データを通報受信機２１（または２２）に送る。すると、通報受信機２１（または２２）は、この試験用の通信データを受信すると、応答の通信データを通報送信装置１１に送ってくる。これにより、接続された通信路を通じた相互データ通信がなされる（ステップＳ２４）。そして、通報送信装置１１は、このデータ通信が正常になされたか否かのチェック結果としての経過状態通知情報をアクセスコントローラ１４に送る（ステップＳ２５）。
【０１００】
アクセスコントローラ１４は、このデータ通信が正常になされたか否かのチェック結果としての経過状態通知情報を受け取ると、データ通信が正常になされたか否かの通信結果をＬＣＤ１４５の画面に表示する。例えばデータ通信が正常に行なわれた場合には、「通信結果」の欄に、例えば「データ通信は、正常に行なわれました」を表示する（ステップＳ２６）。データ通信が正常に行なわれなかったときには、その旨が「通信結果」の欄に表示される。
【０１０１】
そして、通報送信装置１１は、前記データ通信が正常になされたか否かのチェック結果としての経過状態通知情報をアクセスコントローラ１４に送った後、回線試験終了通知をアクセスコントローラ１４に送る（ステップＳ２７）。以上で、この回線試験（パケット）の処理シーケンスは、終了となる。
【０１０２】
一方、ステップＳ２３で、ＩＳＤＮ回線が正常には接続されていないと判別したときには、通報送信装置１１は、回線試験（パケット）の回線試験開始要求信号を当該通報送信装置１１が受け取る直前のＩＳＤＮ回線の切断理由を含む経過状態通知情報をアクセスコントローラ１４に送る（ステップＳ２８）。
【０１０３】
アクセスコントローラ１４は、この経過状態通知情報を受け取ると、ＬＣＤ１４５の画面の、例えば接続状況の欄において、前記切断理由を表示する（ステップＳ２９）。そして、この回線試験（パケット）の処理シーケンスは終了となる。
【０１０４】
この回線試験（パケット）においても、業者は、従来のような特別の治具を用いなくとも、アクセスコントローラ１４から回線試験の指示入力を行ない、そのチェック結果を表示画面を通じて観るだけで回線試験ができることになり、非常に簡単な操作で、回線試験を行なえる。
【０１０５】
［センサ状態チェック］
次に、センサ状態のチェックのシーケンスについて説明する。図３に示した、アクセスコントローラ１４のＬＣＤ１４５の画面に表示されたチェック項目のメニュー画面において、例えば「「３」センサ状態チェック」を業者が選択入力すると、アクセスコントローラ１４は、ＬＣＤ１４５の画面に、図５に示すようなセンサ状態のチェック画面を表示する。
【０１０６】
この例においては、センサ状態のチェックは、センサが接続されている装置、すなわち、通報送信装置１１やセンサ入力装置１２，１３のそれぞれごとに行なえるようにされており、業者は、センサ状態のチェック画面において、センサ状態をチェックする装置を選択することができるように構成されている。
【０１０７】
このため、センサ状態のチェック画面においては、図５に示すように、チェックを行なおうとするセンサ入力装置を選択するための選択ボタン２０１が表示されると共に、センサ状態チェックの開始指示のための開始ボタン２０２および終了指示のための終了ボタン２０３とが表示される。図５において、選択ボタン２０１のうちの網掛けを付して示す選択ボタンは、当該選択ボタンが選択されていることを示している。
【０１０８】
図５の例においては、選択ボタン２０１のうちの「０」が選択されると、センサ状態チェックの対象装置として通報送信装置１１が選択され、選択ボタン２０１のうちの「１」が選択されると、センサ状態チェックの対象装置としてセンサ入力装置１２が選択され、選択ボタン２０１のうちの「２」が選択されると、センサ状態チェックの対象装置としてセンサ入力装置１３が選択される。
【０１０９】
また、アクセスコントローラ１４のＬＣＤ１４５のセンサ状態のチェック画面においては、図５に示すように、センサ状態チェックの対象装置に接続されている複数個のセンサの状態を同時に表示するようにする。図５の例においては、センサ状態のチェック結果表示は、それぞれのセンサ番号やセンサ名などのセンサ表示２０４と、動作マーク２０５とからなる。
【０１１０】
センサ状態のチェック結果表示の一例として、この例では、例えばセンサの検出出力が「１」（オン）または「０」（オフ）とされる場合において、センサオンのときには、動作マーク２０５は明るく表示され、センサオフのときには動作マーク２０５が暗く表示されるようにされる。
【０１１１】
この場合、通報送信装置１１やセンサ入力装置１２，１３に接続されているセンサの情報および状態チェックされる順番は、予めアクセスコントローラ１４に記憶されており、それらの記憶情報に基づいて、選択されたセンサ状態チェックの対象装置に接続されている複数個のセンサのセンサ名などがセンサ状態チェック画面に表示される。
【０１１２】
そして、以上のようなアクセスコントローラ１４のＬＣＤ１４５のセンサ状態のチェック画面において、センサ状態チェックの対象装置の選択が選択ボタン２０１によりなされ、開始ボタン２０２が操作されると、通報送信装置１１に、センサ状態チェック対象装置の情報と共に、センサ状態チェック開始要求が送られる。
【０１１３】
図９に示すシーケンスは、センサ状態のチェック画面において、図５（Ａ）に示すように、選択ボタン２０１のうちの「１」が選択され、開始ボタン２０２が操作された場合の例である。
【０１１４】
すなわち、図９に示すように、アクセスコントローラ１４は、図５（Ａ）の、センサ状態チェックの対象装置としてセンサ入力装置１２の選択されている場合において、業者の開始ボタン２０２の操作入力を受け付けると（ステップＳ３１）、チェック指示信号として、センサ状態チェックの対象装置としてセンサ入力装置１２の識別情報を含むセンサ状態チェックの開始要求信号を通報送信装置１１に送る（ステップＳ３２）。
【０１１５】
通報送信装置１１は、ステップＳ３２で、アクセスコントローラ１４からセンサ状態チェック開始要求信号を受け取ると、先ず、センサ入力装置１２に対して、センサ状態取得要求を送る（ステップＳ３３）。すると、センサ入力装置１２は、自装置に接続されている１個または複数個のセンサの出力信号を取り込み、それぞれセンサ出力信号を、各センサのセンサ状態信号として、通報送信装置１１に返送する（ステップＳ３４）。
【０１１６】
通報送信装置１１は、センサ入力装置１２からのセンサ状態信号を受け取ると、当該センサ状態信号を、アクセスコントローラ１４に送る（ステップＳ３５）。
【０１１７】
アクセスコントローラ１４は、受け取ったセンサ状態信号に応じて、図５（Ａ）の動作マーク２０５を、明るくまたは暗く表示する。
【０１１８】
通報送信装置１１は、一定時間間隔例えば１〜数秒間隔で、センサ入力装置１２へのセンサ状態取得要求およびセンサ入力装置１２からのセンサ状態信号受信を繰り返すと共に（ステップＳ３６およびステップＳ３７）、受信したセンサ状態信号をアクセスコントローラ１４に送る動作（ステップＳ３５）を繰り返す。
【０１１９】
したがって、アクセスコントローラ１４も、通報送信装置１１から前記一定時間間隔で送られてくるセンサ状態信号を受け取り、当該受け取ったセンサ状態信号に応じて、図５（Ａ）の動作マーク２０５を、明るくまたは暗く表示する動作を繰り返す。
【０１２０】
この繰り返しの動作により、アクセスコントローラ１４の図５（Ａ）の表示画面においては、人感センサなどのパッシブセンサのセンサ出力は、人の動きに応じてオン、オフするものとなるので、対応するセンサの動作マーク２０５は、そのセンサ出力のオン、オフの状態に応じて明暗を繰り返す。
【０１２１】
また、窓センサに用いられる磁気センサの場合には、当該センサ状態チェックの際に、窓を開閉操作してもらうことにより、当該センサに対応する動作マーク２０５が明暗を繰り返す表示となる。
【０１２２】
したがって、業者は、アクセスコントローラ１４の表示画面上において、各センサの動作マーク２０５の明暗動作を確認することにより、センサの動作状態のチェックが容易に行なえるようになる。
【０１２３】
以上の繰り返し動作は、図５（Ａ）において、タッチパネル１４７を通じて、終了ボタン２０３が操作されるまで繰り返される。そして、当該センサ入力装置１２に接続されているセンサについての動作チェックが完了したときには、業者は、図５（Ａ）において、タッチパネル１４７を通じて、終了ボタン２０３を操作する。
【０１２４】
アクセスコントローラ１４は、終了ボタン２０３が押下操作されたか否か判別し（ステップＳ３９）、押下されないと判別している間は、通報送信装置１１から送られてくるセンサ状態信号を受信して、当該センサ状態信号に応じたセンサ状態をＬＣＤ１４５の画面における動作マーク２０５に反映させる動作を繰り返し、終了ボタン２０３が押下されたと判別したときには、センサ状態チェック終了要求を、通報送信装置１１に送る（ステップＳ４０）。
【０１２５】
このセンサ状態チェック終了要求を受け取ると、通報送信装置１１は、センサ状態チェック対象装置とされているセンサ入力装置１２におけるセンサ状態チェックのシーケンスを終了する。
【０１２６】
業者が、センサ入力装置１３に接続されている１個または複数個のセンサの状態チェックを行なおうとする場合には、図５（Ａ）の画面において、選択ボタン２０２のうちのボタン「２」を押下する。すると、アクセスコントローラ１４は、センサ状態チェック画面を、図５（Ａ）から、図５（Ｂ）のセンサ入力装置１３用に変更する。この図５（Ｂ）の画面は、選択ボタン２０２における選択中ボタンの表示と、センサ表示２０４が変更（例えばセンサ名が変更）されるだけで、その他は、図５（Ａ）と同様である。
【０１２７】
そして、通報送信装置１１、センサ入力装置１３およびアクセスコントローラ１４は、上述のステップＳ３３〜ステップＳ４０と全く同様に動作して、センサ入力装置１３の各センサの状態チェックを行ない、そのチェック結果をアクセスコントローラ１４のＬＣＤ１４５の画面に表示する。
【０１２８】
なお、通報送信装置１１に接続されているセンサについての状態チェックは、同様にしてできる。すなわち、通報送信装置１１は、自装置に接続されているセンサの状態信号を取得して、アクセスコントローラ１４に送る動作を、前述した１〜数秒間隔で繰り返すものである。前述のセンサ入力装置１２，１３に対するセンサ状態チェック動作と異なるのは、通報送信装置１１自身に接続されるセンサの状態チェックであるので、センサ状態取得要求操作が不要となるものである。
【０１２９】
なお、上述の例では、センサ状態のチェックは、通報送信装置１１やセンサ入力装置１２，１３のそれぞれ毎に、業者の選択に応じて任意に行なえるようにしたが、アクセスコントローラ１４からのセンサ状態チェック指示要求を受けた時に、通報送信装置１１が、通信路１７に接続されているセンサ入力装置に対してセンサ状態取得要求を順次にシーケンシャルに行なって、そのセンサ状態をアクセスコントローラ１４に順次に送るようにしても良い。
【０１３０】
この場合においても、通報送信装置１１とアクセスコントローラ１４との間における、各センサ入力装置に接続されているセンサの状態チェックは、前述の例と同様にして繰り返し行ない、アクセスコントローラ１４で、例えば「次へ」ボタンの操作があると、その「次へ」ボタンの操作指示に応じた変更指示信号を受けた通報送信装置１１は、センサ状態のチェック対象の装置を、他の装置に変更するようにすることもできる。
【０１３１】
この場合において、通報送信装置１１は、センサ動作チェックを行なうセンサ入力装置の順番は予め定めておくと共に、その順番の情報は、アクセスコントローラ１４も、予め登録して記憶しておくことにより、センサ状態チェック画面は、前述の図５と同様の表示とすることができる。すなわち、「次へ」ボタンの操作に応じて、センサ状態チェック画面が、各センサ入力装置用に順次に変更できる。
【０１３２】
［終端状態およびバージョンのチェック］
次に、通信路１７における終端状態のチェックおよび当該通信路１７に接続される各装置のソフトウエアのバージョンのチェックシーケンスについて、図１０および図６の表示画面例を参照して説明する。
【０１３３】
前述したように、通信路１７に接続される各装置は、自装置に終端抵抗が接続されたかの情報を保持すると共に、自装置のソフトウエアのバージョン情報を保持している。通報送信装置１１は、各装置にそれらの情報の取得要求をして、各装置から取得し、当該取得したそれらの情報をアクセスコントローラ１４に送って、終端状態およびバージョン情報のチェックを行なうための表示させるようにする。
【０１３４】
図３に示した、アクセスコントローラ１４のＬＣＤ１４５の画面に表示されたチェック項目のメニュー画面において、例えば「「４」終端状態チェック」を業者が選択入力すると、図１０に示すシーケンスが実行される。
【０１３５】
すなわち、図８に示すように、アクセスコントローラ１４は、業者の終端状態チェックの選択入力を受け付けると（ステップＳ５１）、チェック指示信号として終端・バージョン情報取得開始要求信号を通報送信装置１１に送る（ステップＳ５２）。そして、アクセスコントローラ１４は、図６に示すように、終端状態およびバージョン情報のチェック結果を表示する画面に移行する。
【０１３６】
チェック指示信号として終端・バージョン情報取得開始要求信号を受け取った通報送信装置１１は、この例では、先ず、センサ入力装置１２に終端・バージョン要求を送る（ステップＳ５３）。すると、センサ入力装置１２は、この終端・バージョン要求に対して、保持している終端抵抗の有無の情報、およびソフトウエアのバージョン情報を、通報送信装置１１に返送する（ステップＳ５４）。
【０１３７】
同様にして、通報送信装置１１は、センサ入力装置１３、アクセスコントローラ１４、その他の装置に対して、終端・バージョン要求を送り（ステップＳ５５、ステップＳ５７、ステップＳ５９）、各装置から、その回答として、保持している終端抵抗の有無の情報、およびソフトウエアのバージョン情報を受け取る（ステップＳ５６、ステップＳ５８、ステップＳ６０）。
【０１３８】
そして、通報送信装置１１は、通信路１７に接続されているすべての装置に対して、終端・バージョン要求をして、その返事を受け取ったかどうか判別し（ステップＳ６１）、受け取ったと判別したときに、それら受け取ったすべての装置についての、終端抵抗の有無の情報と、バージョン情報とをアクセスコントローラ１４に送る。
【０１３９】
アクセスコントローラ１４は、これら受け取った情報に基づいて、通信路１７に接続されているすべての装置について、終端抵抗の接続の有無およびバージョン情報を図６に示すように表示をする。
【０１４０】
監視通報システム部１の設置業者は、このアクセスコントローラ１４の表示画面により、終端抵抗が、正しく取り付けられているか、不要な装置に取り付けられていないか、をチェックすることができる。したがって、従来のように、わざわざ各装置の筐体を開けて、終端抵抗が接続されているかどうかをチェックする必要はなく、終端状態のチェックを非常に簡単に行なえるというメリットがある。
【０１４１】
また、同時に、各装置のバージョン情報を表示することができるので、バージョンアップしなければならない装置などを容易に判別することができる。
【図面の簡単な説明】
【０１４２】
【図１】この発明による監視通報システムの実施形態が適用された監視システムの全体の構成を示す図である。
【図２】この発明による監視通報システムの実施形態の主要部の構成例を示す図である。
【図３】この発明による監視通報システムの実施形態において、チェック項目の一覧メニューの一例を示す図である。
【図４】この発明による監視通報システムの実施形態において、チェック結果の表示例を示す図である。
【図５】この発明による監視通報システムの実施形態において、チェック結果の表示例を示す図である。
【図６】この発明による監視通報システムの実施形態において、チェック結果の表示例を示す図である。
【図７】この発明による監視通報システムの実施形態において、回線試験のシーケンス例を示す図である。
【図８】この発明による監視通報システムの実施形態において、回線試験のシーケンス例を示す図である。
【図９】この発明による監視通報システムの実施形態において、センサ状態のチェックシーケンスの例を示す図である。
【図１０】この発明による監視通報システムの実施形態において、通信路の終端状態のチェックシーケンスの例を示す図である。
【符号の説明】
【０１４３】
１  監視通報システム部
２  通報受信管制システム部
３  通信網
１１  通報送信装置
１２，１３  センサ入力装置
１４  表示操作部の例としてのアクセスコントローラ
【図１】
2005084863.tif 000003
【図２】
2005084863.tif 000004
【図３】
2005084863.tif 000005
【図４】
2005084863.tif 000006
【図５】
2005084863.tif 000007
【図６】
2005084863.tif 000008
【図７】
2005084863.tif 000009
【図８】
2005084863.tif 000010
【図９】
2005084863.tif 000011
【図１０】
2005084863.tif 000012